(57)【特許請求の範囲】
【請求項１】
一方向を長手とする複数のレンズを有するレンズシートを原稿台に載置して、当該レン
ズシートの読み取りを行う画像読取装置であって、
上記原稿台におけるレンズシートの位置ずれを防止すべく、上記レンズに係合する係合
部を備えるシートガイドを具備することを特徴とする画像読取装置。
【請求項２】
前記係合部は、前記原稿台のガラス板のうち、前記原稿カバーの回動の付け根の部分か
ら離間する側に設けられていることを特徴とする請求項１記載の画像読取装置。
【請求項３】
前記係合部は、長尺状かつ凸形状に設けられている凸条を有していて、この凸条は、前
記レンズが配置されているピッチと同一ピッチで配置されていることを特徴とする請求項
１または２記載の画像読取装置。
【請求項４】
前記係合部は、長尺状かつ凹形状に設けられている凹条を有していて、この凹条は、前
記レンズが配置されているピッチと同一ピッチで配置されていることを特徴とする請求項
１または２記載の画像読取装置。
【請求項５】
前記係合部は、前記レンズシートの読み取りが為されない部位である前記原稿台の周縁
に設けられていることを特徴とする請求項３または４記載の画像読取装置。
【請求項６】
前記シートガイドは、前記係合部と連続すると共に光を透過可能な透明部を有していて
、この透明部を介して前記レンズシートの読み取りが為されることを特徴とする請求項１
から４のいずれか１項に記載の画像読取装置。
【請求項７】
前記シートガイドは、前記ガラス板に対して、接着層を介して固定されることを特徴と
する請求項６記載の画像読取装置。
【請求項８】
前記レンズが前記係合部に係合している部位の上部に、押さえ部材を配置することを特
徴とする請求項１から７のいずれか１項に記載の画像読取装置。
【発明の詳細な説明】
【技術分野】
【０００１】
本発明は、画像検査装置および画像検査方法に関する。
【背景技術】
【０００２】
各種の印刷技術の中には、多数のシリンドリカル凸レンズ（以下、凸レンズとする。）
が並列配置されたレンチキュラーレンズを具備するレンズシートの記録層に、印刷画像（
検査用画像を含む）を印刷するものがある。かかる印刷技術では、レンズシートの記録層
に、凸レンズのピッチに対応させたストライプ状の細分化画像を多数並べて記録する。そ
して、細分化画像の種類に応じて、視認される画像が立体視されたり、見る角度を変えて
動く写真（アニメーション）とすることが可能となる。
【０００３】
ところで、レンズシートをスキャナで読み取らせるものとしては、特許文献１に開示さ
れている技術内容がある。また、特許文献２は、レンズシートを読み込むものではないが
、印刷シートにテスト画像を印刷し、そのテスト画像をスキャナで読み込ませ、その読み
込んだ画像データの端のラインと印刷シートの端のラインとを元に、搬送角度の精度を算
出している。
【０００４】
【特許文献１】特開２００７−１２７５２１号公報
【特許文献２】実用新案登録第３０８００５３号公報
【発明の開示】
【発明が解決しようとする課題】
【０００５】
ところで、特許文献１に開示の技術内容においては、レンズシートをスキャナで読み取
る際に、レンチキュラーレンズの長手方向とスキャナのキャリッジ（ヘッド）の走査方向
とが平行とならず、走査方向に対して所定の角度だけ傾斜する場合がある。そのような傾
斜が生じる場合、特許文献１においては、傾斜角度の計算や回転処理を行うようにしてい
る。しかしながら、かかる傾斜角度の計算や回転処理は、処理負荷が大きい。
【０００６】
また、特許文献２によれば、印刷媒体の縁部を基準として、傾斜角度の計算や回転処理
を行っているが、特許文献１と同様に、処理負荷が大きいという問題が生じる。そのため
、画像読取装置において、傾斜角度の計算や回転処理が不要な手法（構成）が望まれてい
る。
【０００７】
本発明は上記の事情にもとづきなされたもので、その目的とするところは、レンズの傾
斜角度の計算や回転処理が不要である画像読取装置を提供しよう、とするものである。
【課題を解決するための手段】
【０００８】
上記課題を解決するために、本発明は、一方向を長手とする複数のレンズを有するレン
ズシートを原稿台に載置して、当該レンズシートの読み取りを行う画像読取装置であって
、原稿台におけるレンズシートの位置ずれを防止すべく、レンズに係合する係合部を備え
るシートガイドを具備するものである。
【０００９】
このように構成する場合、係合部にレンズが係合することにより、このレンズが傾斜す
るのを確実に防止することが可能となる。また、レンズシートが移動するのを阻止するこ
とができ、レンズシートの読み取り性を向上させることが可能となる。また、係合部とレ
ンズとの係合により、レンズシートがずれないので、読み取り画像における係合部の角度
配置を予め調整するか、または既知としておくことが可能となる。そのため、レンズシー
トの読み取り画像に対する傾斜角度の算出や、回転処理が不要となり、その処理負荷を大
幅に軽減することが可能となる。
【００１０】
また、他の発明は、上述の発明に加えて更に、係合部は、原稿台のガラス板のうち、原
稿カバーの回動の付け根の部分から離間する側に設けられているものである。
【００１１】
このように構成する場合、原稿カバーの付け根から離間する側に係合部が存在するので
、レンズと係合部とが係合して、レンズシートに盛り上がる部位等が生じても、レンズシ
ートを原稿カバーで支障なく覆うことが可能となる。
【００１２】
さらに、他の発明は、上述の各発明に加えて更に、係合部は、長尺状かつ凸形状に設け
られている凸条を有していて、この凸条は、レンズが配置されているピッチと同一ピッチ
で配置されているものである。
【００１３】
このように構成する場合、凸条として、例えばレンズシートのレンズと同様の部材を用
いることが可能となる。また、凸条の長手方向とレンズの長手方向とを一致させる状態で
係合させれば、レンズシートが傾斜するのを確実に防止することが可能となり、レンズシ
ートの読み取り性を向上させることが可能となる。また、読み取り画像における凸条の角
度配置を予め調整するか、または既知としておくことが可能となる。そのため、レンズシ
ートの読み取り画像に対する傾斜角度の算出や、回転処理が不要となり、その処理負荷を
大幅に軽減することが可能となる。
【００１４】
また、他の発明は、上述の各発明に加えて更に、係合部は、長尺状かつ凹形状に設けら
れている凹条を有していて、この凹条は、レンズが配置されているピッチと同一ピッチで
配置されているものである。
【００１５】
このように構成する場合、凹条の長手方向とレンズの長手方向とを一致させる状態で係
合させれば、レンズシートが傾斜するのを確実に防止可能となり、レンズシートの読み取
り性を向上させることが可能となる。また、読み取り画像における凹条の角度配置を予め
調整するか、または既知としておくことが可能となる。さらに、凹条に凸レンズ等のレン
ズが入り込む等の場合には、凸条を用いる場合と比較して、レンズシートのうち係合部と
係合している部分の高さを低くすることが可能となる。そのため、係合部においては、レ
ンズシートの盛り上がりの寸法を大幅に低減させることが可能となる。
【００１６】
さらに、他の発明は、上述の各発明に加えて更に、係合部は、レンズシートＬの読み取
りが為されない部位である原稿台の周縁に設けられているものである。
【００１７】
このように構成する場合、係合部は原稿台の周縁に存在していて、ガラス板に存在して
いない。そのため、ガラス板におけるレンズシートの読み取り面積は減少せずに済み、十
分な面積を確保することが可能である。
【００１８】
また、他の発明は、上述の各発明に加えて更に、シートガイドは、係合部と連続すると
共に光を透過可能な透明部を有していて、この透明部を介してレンズシートの読み取りが
為されるものである。
【００１９】
このように構成する場合、ガラス板や原稿台の周縁等の部位に、予めシートガードを設
ける必要がない。すなわち、シートガイドを、既存の原稿読取装置に対して、アタッチメ
ントとして用いることが可能である。また、レンズシートの解像度を変更する場合であっ
ても、そのレンズシートの解像度に対応するシートガイドを用いるだけで済む。そのため
、既存の複合装置やスキャナ装置等において設計変更等が生じることがなく、本発明の効
果の発揮を安価に実現可能となる。加えて、種々のレンズシートの解像度にも対応可能と
なる。
【００２０】
さらに、他の発明は、上述の発明に加えて更に、シートガイドは、ガラス板に対して、
接着層を介して固定されるものである。このように構成する場合、透明部を備えるシート
ガイドの位置ずれを確実に防止することが可能となる。
【００２１】
また、他の発明は、上述の各発明に加えて更に、レンズが係合部に係合している部位の
上部に、押さえ部材を配置するものである。このように構成する場合、レンズシートのう
ち係合部との対向部分に撓みが生じようとしても、その撓みの発生を防止することが可能
となる。それにより、レンズと係合部との間の係合が良好となる。また、レンズシートの
位置ずれを一層確実に防止することが可能となる。
【発明を実施するための最良の形態】
【００２２】
＜第１の実施の形態＞
以下に、本発明の第１の実施の形態に係る画像読取装置について、図１から図６を参照
しながら説明する。
【００２３】
＜レンズシートについて＞
最初に、読み取り対象となるレンズシートＬについて説明する。図１に示すように、レ
ンズシートＬは、表面に位置するレンチキュラーレンズＬ１と、このレンチキュラーレン
ズＬ１の裏面と接するインク吸収層Ｌ２と、該レンズシートＬの裏面に位置するインク透
過層Ｌ３とを具備している。これらのうち、レンチキュラーレンズＬ１は、一方向を長手
とする複数のシリンドリカル凸レンズ（凸レンズＬ１１）が、一定のピッチで並列配置さ
れた構成となっている。レンチキュラーレンズＬ１においては、それぞれの凸レンズＬ１
１を進行する光の焦点が、レンチキュラーレンズＬ１の裏面に位置するように、凸レンズ
Ｌ１１の曲率が形成されるのが好ましい。
【００２４】
また、インク透過層Ｌ３は、不図示のノズルから吐出されたインク滴が最初に付着する
部分であり、該付着したインクが透過していく部分である。このインク透過層Ｌ３は、例
えば酸化チタン、シリカゲル、ＰＭＭＡ（メタクリル樹脂）等の微粒子、硫酸バリウム、
ガラスファイバ、プラスチックファイバ等を材質として形成されている。また、インク吸
収層Ｌ２は、インク透過層Ｌ３を透過したインクを吸収および／または固着させる部位で
ある。このインク吸収層Ｌ２は、例えばＰＶＡ（ポリビニルアルコール）等の親水性ポリ
マー樹脂、カチオン化合物、シリカ等の微粒子等を材質として形成されている。また、レ
ンチキュラーレンズＬ１は、ＰＥＴ、ＰＥＴＧ、ＡＰＥＴ、ＰＰ、ＰＳ、ＰＶＣ、アクリ
ル、ＵＶ樹脂等を材質として形成されている。
【００２５】
なお、インク吸収層Ｌ２は透明であると共に、インク透過層Ｌ３は、白色である。しか
しながら、インク吸収層Ｌ２が白色であっても良く、またインク透過層Ｌ３が透明であっ
ても良く、さらにインク透過層Ｌ３とインク吸収層Ｌ２の両方が透明であっても良い。ま
た、本実施の形態では、インク透過層Ｌ３が存在することにより、印刷後であっても、レ
ンズシートＬを直ぐに触ることが可能となっている。しかしながら、レンズシートＬは、
インク透過層Ｌ３を具備しない構成を採用しても良い。
【００２６】
また、図１に示すように、本実施の形態におけるレンズシートＬは、その外観が矩形状
を為していると共に、該矩形状の外観を構成するレンズシートＬの縁部が、凸レンズＬ１
１の長手方向と平行となっている。
【００２７】
＜画像読取装置の全体構成について＞
図２は、画像読取装置を構成する、コンピュータＰＣと複合装置１０の外観を示す斜視
図である。複合装置１０は、スキャナ機能部１０Ａの他、プリンタ機能部１０Ｂを備え、
さらにスキャナ機能部１０Ａとプリンタ機能部１０Ｂとが相俟ることにより、コピー機能
をも備えるいわゆる複合機として構成されている。複合装置１０には、パーソナルコンピ
ュータＰＣが接続され、このコンピュータＰＣにおいて、複合装置１０より読み込んだ画
像の処理を行う等の種々の処理を行うことができるようになっている。
【００２８】
複合装置１０は、筐体２０と、原稿を載置する原稿台３０およびシートガイド４０Ａを
備えるスキャナ機能部１０Ａと、原稿台３０に載置された読み取り対象物（レンズシート
Ｌ等）を覆う原稿カバー６０とを備えている。また、スキャナ機能部１０Ａには、キャリ
ッジ７０等の後述する種々の内部機構が備えられている。
【００２９】
複合装置１０は、内部に、プリンタ機能部１０Ｂを備える。プリンタ機能部１０Ｂには
、印刷媒体（普通紙やレンズシートＬ等）を供給する給紙装置２１から、印刷媒体が供給
され、プリンタ機能部１０Ｂにおいて印刷された印刷媒体は、排出口２２から排出される
ようになっている。この複合装置１０は、上述したように、プリンタ機能部１０Ｂを備え
ることにより、画像を読み取る機能の他、印刷媒体に画像を形成することも可能となって
いる。なお、複合装置１０には、複数の操作ボタン２３が備えられ、この操作ボタン２３
により、複合装置１０の機能の選択や種々の動作の指令等を行うことができる。
【００３０】
図２に示すように、筐体２０の天面２０ａには、原稿台３０が設けられている。原稿台
３０は、天面２０ａに矩形に開口した開口部３２に、透明なガラス板３１を嵌め込むこと
により構成されている。また、ガラス板３１のうち、手前側（原稿カバー６０の回動の付
け根の部分から離間する側）には、後述するシートガイド４０Ａが設けられている。読み
取り対象物は、その読み取り面を、原稿台３０（ガラス板３１）に向けた状態で、原稿台
３０（ガラス板３１）に載置される。したがって、ＬＥＤアレイ７２から照射された照明
光は、ガラス板３１を透過して原稿面を照明し、この反射光は、再びガラス板３１を透過
してイメージセンサ７１に入射される。
【００３１】
図３は、本実施の形態の複合装置１０におけるスキャナ機能部１０Ａの部分の機構の概
略を示す図である。図３に示すように、複合装置１０は、画像読取手段としてのイメージ
センサ７１およびＬＥＤアレイ７２を備えるキャリッジ７０と、キャリッジ７０を移動さ
せるためのキャリッジ移動機構８０と、制御部１２０等を備える。イメージセンサ７１は
、複数の受光素子が線状に配列された一次元のイメージセンサであり、ＬＥＤアレイ７２
は、イメージセンサ７１の受光素子の配列方向に沿って複数のＬＥＤ素子が配列されてい
る。なお、制御部１２０は、プリンタ機能部１０Ｂおよびスキャナ機能部１０Ａの制御を
行い、スキャナ機能の他、プリンタ機能やコピー機能を実行する制御部としても構成され
ている。
【００３２】
キャリッジ移動機構８０は、駆動源として直流モータ（以下、ＤＣモータという。）８
１と、ＤＣモータ８１の出力軸８１ａに接合されたウォームギア８２と、ウォームギア８
２と噛み合い所定の減速比で回転する平歯車８３と、平歯車８３に接合されたプーリ８４
ａと、プーリ８４ａに対して原稿台３０を挟んで配置されるプーリ８４ｂと、プーリ８４
ａとプーリ８４ｂとの間に張設されるタイミングベルト８５と、このタイミングベルト８
５の張設方向に沿って配設されるガイドレール８６等を備える。
【００３３】
ＤＣモータ８１が駆動されると、ウォームギア８２、平歯車８３、プーリ８４ａを介し
てタイミングベルト８５が回転する。タイミングベルト８５は、その一部が、キャリッジ
７０に固定されている。また、キャリッジ７０は、ガイドレール８６に対して摺動可能に
連結されている。そのため、タイミングベルト８５が回転することにより、キャリッジ７
０は、ガイドレール８６に沿って移動する。
【００３４】
キャリッジ７０に備えられるイメージセンサ７１とＬＥＤアレイ７２は、キャリッジ７
０と共に移動する。また、イメージセンサ７１の受光素子は、キャリッジ７０の走査方向
と直交する方向に配列されている。したがって、キャリッジ７０の走査方向への移動に併
せ、イメージセンサ７１が読み取り対象物の原稿台３０側を、走査方向とは直交する方向
でライン状に読み取ることにより、イメージセンサ７１は、読み取り対象物の原稿台３０
側の画像の読み取りを行う。ＬＥＤアレイ７２から読み取り対象物の原稿台３０側に対し
て照明光が照射され、この照明光の原稿面からの反射光がイメージセンサ７１に入射し、
読み取り対象物の原稿台３０側の画像に応じた電荷がイメージセンサ７１に蓄積する。こ
の電荷を電気信号の形で画像データとしてコンピュータＰＣに出力する。
【００３５】
なお、図４に示すように、プリンタ機能部１０Ｂは、後述するプリンタＡＳＩＣ１０５
の他、排紙ローラ１０１、給紙用モータ１０２、キャリッジ１１０、印刷ヘッド１１１、
キャリッジ軸１１２、キャリッジ用モータ１１３、ベルト１１４、カートリッジ１１５等
を具備しているが、それらの各構成要素の説明は省略する。
【００３６】
＜制御部について＞
次に、制御部１２０について説明する。図４に示す制御部１２０は、主制御部１２０Ｃ
を有している。主制御部１２０Ｃは、ＣＰＵ１２１、ＲＯＭ１２２、ＲＡＭ１２３、ＰＲ
ＯＭ１２４等を有していて、これらおよびプリンタＡＳＩＣ１０５、スキャナＡＳＩＣ２
００等が、バス等の伝送路を介して交互にデータを送受信可能に接続されている。
【００３７】
上述の構成のうち、プリンタＡＳＩＣ１０５は、不図示の各種のセンサからの信号に基
づいて、印刷ヘッド１１１および各種モータを駆動させるための専用のＩＣである。また
、スキャナＡＳＩＣ２００は、ＤＣモータ８１／イメージセンサ７１等の作動を制御する
部分であり、イメージセンサ７１で読み取られた読み取りデータを、ＲＡＭ１２３のスキ
ャナ領域（符号省略）に記憶させる。
【００３８】
＜シートガイドについて＞
続いて、原稿台３０に設けられている、シートガイド４０Ａの構成について、図２、図
５および図６に基づいて説明する。
【００３９】
図２に示すように、シートガイド４０Ａは、原稿台３０のガラス板３１のうち、例えば
手前側に設けられている。また、図５および図６に示すように、シートガイド４０Ａは、
基板４１と、この基板４１の上部に位置していて、凸形状かつ長尺状に設けられている凸
条４２とを備えていて、複数の凸条４２の全体（集合）により、係合部４３Ａが構成され
ている。
【００４０】
基板４１と凸条４２とは、レンズシートＬにおけるレンチキュラーレンズＬ１に対応す
る部分であり、一体的に設けられている。しかしながら、基板４１と凸条４２とを別体的
に設ける構成を採用しても良い。別体的な構成を採用する場合、基板４１の上面側に、レ
ンチキュラーレンズＬ１と同一の凸条４２が貼付される。
【００４１】
なお、基板４１は、レンチキュラーレンズＬ１そのものの厚み寸法を有していても良い
が、基板４１を、レンチキュラーレンズＬ１のものよりも、薄肉化する（例えば図６で二
点鎖線の部位まで薄肉化する）ように構成しても良い。基板４１を薄肉化する場合、レン
ズシートＬのうち係合部４３Ａに載置した部分は、ガラス板３１に載置した部分よりも上
方へ向かう盛り上がりが小さくなる。そのため、レンズシートＬの読み取り面の読み取り
性が向上する。
【００４２】
係合部４３Ａは、本実施の形態では、レンズシートＬのレンチキュラーレンズＬ１と同
一形状に形成されている。すなわち、レンチキュラーレンズＬ１を形成する各凸レンズＬ
１１と同一形状の凸条４２が、レンチキュラーレンズＬ１の配設ピッチと同一ピッチで設
けられている。なお、ガラス板３１では、レンズシートＬの読み取りを行うために、係合
部４３Ａは、必要最小限の幅寸法（短手方向の寸法）を有するように設けられている。ま
た、係合部４３Ａの長手方向は、ガラス板３１の長手方向の全体に亘って設けられている
。しかしながら、ガラス板３１の長手方向の全体に亘って、係合部４３Ａを設ける構成を
採用しなくても良い。
【００４３】
なお、係合部４３Ａは、レンチキュラーレンズＬ１と同一部材により形成されているが
、基板４１を樹脂成形により作成する場合には、成形金型に予め係合部４３Ａに対応する
型面を形成して、係合部４３Ａ（凸条４２）を基板４１と一体に成形するようにしても良
い。また、基板４１を金属板により形成してもよい。この場合には、金属板を切削加工す
ることにより係合部４３Ａ（凸条４２）を形成することができる。
【００４４】
以上の構成により、レンズシートＬの読み取りを行う場合、レンズシートＬのうち、手
前側を係合部４３Ａに係合させる。このとき、レンズシートＬは、レンチキュラーレンズ
Ｌ１の側を、係合部４３Ａに載置する。それにより、レンズシートＬの凸レンズＬ１１と
凸条４２とが互いに噛み合い、レンズシートＬは係合部４３Ａにより、原稿台３０の短手
方向（キャリッジ７０の走査方向と直交する方向）の位置決めが行われる。また、凸条４
２の長手方向は、原稿台３０の長手方向に沿うように設けられている。
【００４５】
＜第１の実施の形態の構成により生じる効果＞
以上のような構成によれば、係合部４３ＡにレンチキュラーレンズＬ１が係合する（す
なわち、凸レンズＬ１１と凸条４２とが係合する）ことにより、レンズシートＬの凸レン
ズＬ１１を凸条４２の長手方向に沿わせることが可能となり、凸レンズＬ１１が傾斜する
のを確実に防止することが可能となる。また、レンズシートＬが、凸レンズＬ１１の長手
と直交する方向（短手方向）に移動するのを阻止することができ、レンズシートＬの読み
取り時に、レンズシートＬが短手方向に移動するのを防止することが可能となる。
【００４６】
また、凸レンズＬ１１の長手が、凸条４２に対してずれないため、読み取り画像におけ
る凸レンズＬ１１の角度配置が固定的となり、凸条４２の角度配置を予め調整するか、ま
たは既知としておくことが可能となる。そのため、凸レンズＬ１１の読み取り画像に対す
る傾斜角度の算出や、回転処理が不要となり、その処理負荷を大幅に軽減することが可能
となる。
【００４７】
＜第２の実施の形態＞
以下、本発明の第２の実施の形態について、図７に基づいて説明する。なお、上述の第
１の実施の形態で用いたのと同様の構成については、同一の符号を用いて説明する。
【００４８】
本実施の形態においては、上述の第１の実施の形態に加えて、更に、レンズシートＬを
押圧するための押さえ台Ｍ（押さえ部材に対応）を設けている。すなわち、レンズシート
ＬのレンチキュラーレンズＬ１側が係合部４３Ａに載置されても、シートガイド４０Ａの
高さ寸法等の影響で、レンチキュラーレンズＬ１の全体が係合部４３Ａに接触せずに、一
部が浮き上がった状態となることがある。そこで、図７に示すように、レンチキュラーレ
ンズＬ１側を係合部４３Ａに係合させた後に、レンズシートＬのうち係合部４３Ａと係合
している部分に、押さえ台Ｍを載せるようにする。
【００４９】
ここで、原稿カバー６０が押さえ台Ｍの上部に位置するため、押さえ台Ｍは、高さ方向
にはさほど大きな寸法を有しないものが好ましい。そのため、図７に示す押さえ台Ｍは、
所定の厚みを有する扁平状（板状）に設けられている。
【００５０】
なお、押さえ台Ｍの重さは、レンチキュラーレンズＬ１と係合部４３Ａとの間の係合を
良好にするものであれば、どのような重さであっても良い。押さえ台Ｍの重さの一例とし
ては、当該押さえ台Ｍを１５０ｇ以上とする場合がある。
【００５１】
＜第２の実施の形態の構成により生じる効果＞
以上のような構成によれば、押さえ台ＭをレンズシートＬの上方に載せることにより、
レンズシートＬのうち係合部４３Ａとの対向部分に撓みが生じようとしても、その撓みの
発生を防止することが可能となる。それにより、レンチキュラーレンズＬ１と係合部４３
Ａとの間の係合が良好となり、凸条４２を凸レンズＬ１１の長手に一層確実に沿わせるこ
とが可能となる。また、レンズシートＬの位置ずれ（回転方向におけるずれ）を一層確実
に防止することが可能となる。
【００５２】
＜第３の実施の形態＞
以下、本発明の第３の実施の形態について、図８に基づいて説明する。なお、上述の第
１の実施の形態で用いたのと同様の構成については、同一の符号を用いて説明する。
【００５３】
本実施の形態では、上述の第１の実施の形態におけるシートガイド４０Ａに代えて、図
８に示すようなシートガイド４０Ｃを用いている。図５に示す（第１の実施の形態の）シ
ートガイド４０Ａは、凸条４２を有する構成となっているのに対して、図８に示す（本実
施の形態の）シートガイド４０Ｃは、凹形状かつ長尺状に設けられている凹条４４を備え
ている。そして、複数の凹条４４の全体（集合）により、係合部４３Ｃが構成されている
。
【００５４】
この凹条４４は、基板４１と一体的に設けられている。また、凹条４４は、例えばレン
チキュラーレンズＬ１と同様の形状の金型に所定の樹脂（レンチキュラーレンズＬ１と同
材質のもの）を流し込むことにより形成される。
【００５５】
なお、本実施の形態における係合部４３Ｃには、レンチキュラーレンズＬ１の円弧状の
曲面のうち、かなりの部分が入り込むように構成されている。しかしながら、凹条４４は
、レンチキュラーレンズＬ１の円弧状の曲面のうち、突出の先端側（図８における上方側
）のみが入り込むような、浅溝状に設けられていても良い。その場合、隣り合う凹条４４
同士の境界部分は、図８に示すような直線状を為すものではなく、細長い平面を為したり
、または所定の曲面形状を為す状態となる。
【００５６】
ここで、凹条４４の下方に位置する基板４１は、例えば０．１ｍｍ程度といった具合に
、薄肉化が為されている。
【００５７】
＜第３の実施の形態の構成により生じる効果＞
以上の構成によれば、上述の第１の実施の形態等のような、凸条４２から構成される係
合部４３と同様の効果を得ることが可能となる。すなわち、係合部４３Ｃにレンチキュラ
ーレンズＬ１が係合する（すなわち、凸レンズＬ１１と凹条４４とが係合する）ことによ
り、レンズシートＬの凸レンズＬ１１を凹条４４の長手方向に沿わせることが可能となり
、凸レンズＬ１１が傾斜するのを確実に防止することが可能となる。また、レンズシート
Ｌが、凸レンズＬ１１の長手と直交する方向（短手方向）に移動するのを阻止することが
でき、レンズシートＬの読み取り時に、レンズシートＬが短手方向に移動するのを防止す
ることが可能となる。
【００５８】
また、凹条４４においては、凸レンズＬ１１が入り込むことにより、上述の第１の実施
の形態における凸条４２を用いる場合と比較して、レンズシートＬのうち係合部４３Ｃと
係合している部分の高さ（盛り上がり）を低くすることが可能となる。すなわち、第１の
実施の形態等では、隣り合う凸条４２の境界部分に、凸レンズＬ１１が入り込むが、凸レ
ンズＬ１１のうちインク吸収層Ｌ２から離間する突出の先端側は、凸条４２の突出の中腹
に位置する状態となっている。しかしながら、本実施の形態では、凸レンズＬ１１のうち
インク吸収層Ｌ２から離間する突出の先端側は、凹条４４の窪みの最も深い部分に入り込
む。そのため、レンズシートＬのうち係合部４３Ｃと係合している部分の高さを低くする
ことが可能となっている。
【００５９】
＜第４の実施の形態＞
以下、本発明の第４の実施の形態について、図９に基づいて説明する。なお、上述の第
１の実施の形態で用いたのと同様の構成については、同一の符号を用いて説明する。
【００６０】
上述の第１の実施の形態等においては、ガラス板３１側にシートガイド４０Ａ等を設け
ている。しかしながら、本実施の形態では、ガラス板３１側にシートガイドを設けずに、
当該ガラス板３１と隣接する天面２０ａに、シートガイド４０Ｄを設けている。
【００６１】
このシートガイド４０Ｄは、天面２０ａのうち、手前側の部位に、例えば接着または成
型等の手法により設けられている。また、このシートガイド４０Ｄと、第１の実施の形態
におけるシートガイド４０Ａとを比較すると、設けられる部位が異なるのみであり、シー
トガイド４０Ｄの構成は、上述の第１の実施の形態におけるシートガイド４０Ａと同様で
ある。すなわち、基板４１（図９において図示省略）と凸条４２とを有していて、複数の
凸条４２の全体（集合）により、係合部４３Ｄが構成されている。
【００６２】
＜第４の実施の形態の構成により生じる効果＞
以上の構成によれば、本実施の形態におけるシートガイド４０Ｄは、上述の第１の実施
の形態におけるシートガイド４０Ａと同様の効果を生じさせることが可能である。それに
加えて、シートガイド４０Ｄは天面２０ａ（原稿台３０の周縁に対応）に存在していて、
ガラス板３１に存在していない。そのため、ガラス板３１においては、レンズシートＬや
その他の読み取り対象物の読み取り面積は減少せずに済み、読み取りのために十分な面積
を確保可能となる。
【００６３】
＜第５の実施の形態＞
以下、本発明の第５の実施の形態について、図１０に基づいて説明する。なお、上述の
第１の実施の形態で用いたのと同様の構成については、同一の符号を用いて説明する。
【００６４】
本実施の形態では、図１０に示すようなシートガイド４０Ｅがガラス板３１に載置され
る構成となっている。このシートガイド４０Ｅは、ガラス板３１の略全体面を覆うように
設けられている。
【００６５】
このシートガイド４０Ｅは、図１０に示すように、係合部４３Ｅと、透明部４５とを有
している。係合部４３Ｅは、上述の第１の実施の形態における係合部４３Ａと同様の構成
となっており、基板４１（図１０において図示省略）および凸条４２から構成されている
。また、透明部４５は、透明かつ厚み寸法が小さな透明フィルム等を材質として形成され
ている。透明部４５は、ＬＥＤアレイ７２から照射された光が透過すると共に、レンズシ
ートＬで反射された後に再び光が透過可能に設けられている。また、透明部４５には、レ
ンズシートＬの読み取り部位が載置される。すなわち、レンズシートＬの手前側の部位は
、係合部４３Ｅに係合させられるが、レンズシートＬのその他の部分は、透明部４５の上
部に位置する状態となる。
【００６６】
また、係合部４３Ｅは、透明部４５に対して、接着層４６を介して取り付けられている
。この接着層４６は、例えば両面テープや所定の接着剤（一例として、スプレーのり等）
から構成されている。また、透明部４５の裏側（係合部４３Ｅが設けられていない側）に
は、接着層４７が設けられている。この接着層４７は、接着層４６よりも低粘着性の材質
から構成されている。すなわち、接着層４７は、ガラス板３１から剥がし易い材質から構
成されている。
【００６７】
＜第５の実施の形態の構成により生じる効果＞
以上のような構成によれば、ガラス板３１の大部分を覆うようにシートガイド４０Ｅを
セットするが、そのとき、シートガイド４０Ｅの縁部を原稿台３０（開口部３２）の縁部
に沿わせるようにする。それにより、レンズシートＬの凸レンズＬ１１を凸条４２の長手
方向に沿わせることが可能となり、凸レンズＬ１１が傾斜するのを確実に防止することが
可能となる。また、レンズシートＬが、凸レンズＬ１１の長手と直交する方向（短手方向
）に移動するのを阻止することができ、レンズシートＬの読み取り時に、レンズシートＬ
が短手方向に移動するのを防止することが可能となる。
【００６８】
また、本実施の形態におけるシートガイド４０Ｅでは、ガラス板３１や天面２０ａ等の
部位に、予めシートガイドを設ける必要がない。すなわち、本実施の形態におけるシート
ガイド４０Ｅは、既存の複合装置やスキャナ装置等に、アタッチメントとして用いること
が可能である。また、レンズシートＬの解像度を変更する場合であっても、そのレンズシ
ートＬの解像度に対応するシートガイド４０Ｅを用いるだけで済む。
【００６９】
このように、既存の複合装置やスキャナ装置等において設計変更等が生じることがなく
、上述の第１の実施の形態の係合部４３Ａ等と同等の効果を安価に実現することが可能と
なる。加えて、種々のレンズシートＬの解像度にも対応可能となる。
【００７０】
なお、透明部４５の上面の高さ寸法は、図１０に示すものには限られない。例えば、レ
ンズシートＬのうち係合部４３Ｅと係合している部分と、透明部４５に存在している部分
との間で、撓み（高さ寸法の変化）が生じないよう、換言すればレンズシートＬが面一と
なるように、透明部４５の高さ寸法を設定するようにしても良い。
【００７１】
＜変形例について＞
以上、本発明の各実施の形態について述べたが、本発明は種々変形可能である。以下、
それについて述べる。
【００７２】
上述の各実施の形態等においては、解像度の異なる係合部４３Ａ等を２種類以上設ける
ように構成しても良い。このように構成する場合、レンチキュラーレンズＬ１の解像度の
変化に対応可能となる。
【００７３】
また、上述の各実施の形態においては、凸条４２または凹条４４の長手方向が、キャリ
ッジ７０の走査方向に沿うように配置されている。しかしながら、レンズシートＬが、当
該レンズシートＬの縁部に対して凸レンズＬ１１の長手が傾斜しているタイプ（斜めレン
ズシート）を用いる等の場合には、上記のキャリッジ７０の走査方向に対して、凸条４２
または凹条４４の長手方向が傾斜するように配置しても良い。
【００７４】
また、上述の各実施の形態では、スキャナ機能部１０Ａとプリンタ機能部１０Ｂとを備
える複合装置１０を用いる場合について説明しているが、スキャナ機能のみを備えるスキ
ャナ装置に本発明を適用することは勿論可能である。また、画像読取装置は、複合装置１
０とコンピュータＰＣから構成されている場合について説明しているが、複合装置１０の
みから画像読取装置が構成されるようにしても良い。
【００７５】
また、上述の各実施の形態における係合部４３においては、凸条４２または凹条４４は
、複数設けられている場合について説明している。しかしながら、凸条４２または凹条４
４は、１本のみ設ける構成を採用しても良い。また、係合部４３は、キャリッジ７０の走
査方向の全体に亘って設ける必要はなく、例えばガラス板３１のうちキャリッジ７０の走
査方向の両端側の部位にのみ設ける、または所定の間隔ごとに間欠的に配置する等しても
良い（天面２０ａおよび図１０のシートガイド４０Ｅにおいても同様）。
【００７６】
また、係合部４３における凸条４２または凹条４４は、レンズシートＬの凸レンズＬ１
１と同一ピッチで配置されることが好ましいが、必ずしも同一ピッチで配置されるものに
は限られない。例えば、凸レンズＬ１１に対して整数倍を有する状態で配置されるように
構成しても良い。
【００７７】
また、上述の第２の実施の形態における押さえ台Ｍは、複合装置１０とは別体的なもの
となっているが、原稿カバー６０自体に、同様の機能を持たせるように構成しても良い。
また、上述の第２の実施の形態の構成（押さえ台Ｍ）を、第３〜第５の実施の形態に組み
合わせるようにしても良い。また、上述の第３の実施の形態の係合部４３Ｃを、上述の第
４の実施の形態の場合のように天面２０ａに設けるように構成しても良い。
【図面の簡単な説明】
【００７８】
【図１】本発明のシートガイドおよびレンズシートの構成を示す断面図である。
【図２】画像読取装置の全体構成を示す斜視図である。
【図３】スキャナ機能部の内部機構の概略を示す図である。
【図４】複合装置の概略構成を示すブロック図である。
【図５】第１の実施の形態のシードガイドの構成を示す斜視図である。
【図６】図５のシートガイドの側面形状を示す図である。
【図７】第２の実施の形態に係る押さえ台等を示す斜視図である。
【図８】第３の実施の形態に係るシートガイドの構成を示す斜視図である。
【図９】第４の実施の形態に係るシートガイドの構成を示す斜視図である。
【図１０】第５の実施の形態に係るシートガイドの構成を示す斜視図である。
【符号の説明】
【００７９】
１０…複合装置、１０Ａ…スキャナ機能部、１０Ｂ…プリンタ機能部、２０…筐体、２
０ａ…天面（原稿台の周縁に対応）、３０…原稿台、３１…ガラス板、４０Ａ，４０Ｃ，
４０Ｄ，４０Ｅ…シートガイド、４１…基板、４２…凸条、４３Ａ，４３Ｃ，４３Ｄ，４
３Ｅ…係合部、４４…凹条、４５…透明部、６０…原稿カバー、７０…キャリッジ、１２
０…制御部、ＰＣ…コンピュータ、Ｌ…レンズシート、Ｌ１…レンチキュラーレンズ、Ｌ
１１…凸レンズ、Ｍ…押さえ台（押さえ部材に対応）
【図１】
0005141178.tif 000002
【図２】
0005141178.tif 000003
【図３】
0005141178.tif 000004
【図４】
0005141178.tif 000005
【図５】
0005141178.tif 000006
【図６】
0005141178.tif 000007
【図７】
0005141178.tif 000008
【図８】
0005141178.tif 000009
【図９】
0005141178.tif 000010
【図１０】
0005141178.tif 000011